(57)【要約】【課題】リカバリよるＩＮＦＯｈ信号の再送を行った場合においても、再度、フレーム同期ビットの判定エラーとなるため先に進めず通信断となる事態を防止する信号検出装置を提供する。【解決手段】ＩＮＦＯｈ信号の検知を行う信号検知手段と、第１のフレーム同期ビット判定手段および第２のフレーム同期ビット判定手段とを有し、ＩＮＦＯｈ信号受信時に、第１のフレーム同期ビット判定手段がフレーム同期ビット判定エラーと判断し、リカバリが発生した場合、次回のＩＮＦＯｈ信号のフレーム同期ビット判定は、第２のフレーム同期ビット判定手段で行い、ＩＮＦＯｈ信号受信時に、第１のフレーム同期ビット判定手段がフレーム同期ビット判定ＯＫと判断した場合、ＩＮＦＯｈ信号の検知動作を継続する。【選択図】図２
2009135612.tif 000002
【特許請求の範囲】
【請求項１】
ＩＴＵ−Ｔ勧告Ｖ．８およびＶ．３４に準じた通信手順を実行する通信手段と、
ＩＮＦＯｈ信号の検知を行う信号検知手段とを有し、
前記信号検知手段は、ＩＮＦＯｈ信号のフレーム同期ビットを判定する第１のフレーム同期ビット判定手段および第２のフレーム同期ビット判定手段とを有し、
ＩＮＦＯｈ信号受信時に、前記信号検知手段が有する前記第１のフレーム同期ビット判定手段がフレーム同期ビット判定エラーと判断し、リカバリが発生した場合、次回のＩＮＦＯｈ信号のフレーム同期ビット判定は、前記第２のフレーム同期ビット判定手段で行い、
ＩＮＦＯｈ信号受信時に、前記信号検知手段が有する前記第１のフレーム同期ビット判定手段がフレーム同期ビット判定ＯＫと判断した場合、前記ＩＮＦＯｈ信号の検知動作を継続することを特徴とする信号検出装置。
【請求項２】
前記信号検知手段に対して予め設定された前記リカバリの回数によって、前記第１のフレーム同期ビット判定手段と、前記第２のフレーム同期ビット判定手段との切替を可能にする切替手段を有することを特徴とする請求項１記載の信号検出装置。
【請求項３】
前記信号検知手段に対する外部入力により前記第２のフレーム同期ビット判定手段における判定ビット値の変更を可能にすることを特徴とする請求項１または２記載の信号検出装置。
【発明の詳細な説明】
【技術分野】
【０００１】
本発明は、通信機器に用いられるＩＮＦＯｈ信号の検出を行う信号検出装置に関する。
【背景技術】
【０００２】
ＩＴＵ−Ｔ勧告Ｔ．３０の勧告Ｖ．８に従って全二重通信方式によって通信を行うファクシミリ装置では、通信が開始される場合、回線接続後、まず着呼側端末は発呼側端末へＡＮＳａｍ信号（変形応答トーン）を送信する。
【０００３】
発呼側端末はこのＡＮＳａｍ信号を受信すると、自身の機能を示すＣＭ信号（起呼メニュー）を送信する。
【０００４】
着呼側端末はＡＮＳａｍ信号送信中にこのＣＭ信号を受信すると、同じく自身の機能を示すＪＭ信号（共通メニュー）を発呼側端末へ送信する。
【０００５】
これらの信号のやりとりにより、例えば相手側端末をファクシミリと認識したならば、その結果Ｖ．８手順に従ってファクシミリ通信が開始され、その後Ｖ．３４手順に移行して通信が行われる。
【０００６】
電話回線を介したデータ通信手順は、ＩＴＵ−Ｔ（国際電気通信連合 電気通信標準化部門）によって、例えばＶシリーズ勧告として規定されている。この内のＶ．３４勧告においては、３３６００ｂｐｓまでに対応するデータ通信速度で動作する変復調装置（以下、モデム）が規定されている。
【０００７】
このＶ．３４の半二重動作では、データ通信の準備段階として、フェーズ１〜３が行われる。
以下に、図３および図５を用いて、従来のフェーズ２における、発呼側とその応答側との通信制御動作を説明する。
【０００８】
図５において、ＩＮＦＯｈ信号受信を開始する（ステップＳ２０１）。
【０００９】
ステップ２０１の処理後、フレーム同期ビットの検出があったか否かを判断する（ステップＳ２０２）。
【００１０】
ステップ２０２の処理で、フレーム同期ビットの検出があったと判断された場合（ステップＳ２０２／ＹＥＳ）、ＣＲＣの確認がされたか否かの判断を行う（ステップＳ２０４）。
【００１１】
ステップ２０２の処理で、フレーム同期ビットの検出がされていないと判断された場合（ステップＳ２０２／ＮＯ）、ＩＮＦＯｈ信号受信ＮＧと判断する（ステップＳ２０３）。
【００１２】
ステップ２０３の処理で、ＩＮＦＯｈ信号受信ＮＧと判断した後は、ステップＳ２０１の処理に戻る。
【００１３】
ステップ２０４の処理で、ＣＲＣの確認がされていない場合（ステップＳ２０４／ＮＯ）、ＩＮＦＯｈ信号受信ＮＧと判断する（ステップＳ２０３）。
【００１４】
ステップ２０４の処理で、ＣＲＣの確認がされた場合（ステップＳ２０４／ＹＥＳ）、ＩＮＦＯｈ信号受信ＯＫと判断する（ステップＳ２０５）。
【００１５】
また、図３に示すフェーズ２において、発呼モデムは、フェーズ１後の７５±５ｍｓの無音期間経過後に、モデムの能力（サポートしているシンボルレート、キャリア周波数、電力抑制機能の有無等）を通知するＩＮＦＯ０ｃ信号をアクセス対象となる応答モデムに向かって送信する。
【００１６】
応答モデムの方も同様、フェーズ１後の７５±５ｍｓの無音期間経過後に、ＩＮＦＯ０ａ信号を発呼モデムに向かって送信する。
【００１７】
これにより、互いのモデムの機能情報が交換されると共に、後のトーン信号Ａ，Ｂを検出する準備が整う。
【００１８】
発呼モデムは、続けてトーンＢ信号を応答モデムに向かって送信する。応答モデムでは、トーンＡ信号を少なくとも５０ｍｓ間、発呼モデムに送信し、この後にトーンＡ位相反転信号（ｉｎｖ Ａと示す）を発呼モデムに送信する。
【００１９】
発呼モデムは、これを検出すると、４０±１０ｍｓ待機後に、トーンＢ位相反転信号を１０ｍｓ間、応答モデムに向かって送信する。発呼モデムは、続いて、ラインプロービング信号Ｌ１を１６０ｍｓ間、応答モデムに向かって送信する。
【００２０】
さらに、発呼モデムは、回線状態を表すラインプロービング信号Ｌ２を応答モデムに送信する。
【００２１】
応答モデムは、このラインプロービング信号Ｌ１を上記１６０ｍｓ期間で受信し、また、ラインプロービング信号Ｌ２を５００ｍｓを超えない期間で受信する。
【００２２】
応答モデムでは、このラインプロービング信号Ｌ１，Ｌ２を受信することで、トーンＡ信号を２５ｍｓ間、発呼モデムに送信する。
【００２３】
発呼モデムは、このトーンＡ信号を検出すると、応答モデムにトーンＢ信号を送信し、これにより、応答モデムから、回線状態を解析し選択したシンボルレート、キャリア周波数、プリエンファシス係数等の情報であるＩＮＦＯｈ信号を受信する。
【００２４】
これにより、画情報通信速度を決定するための回線特性を測定することができる。
【００２５】
上述した背景に関連する技術を開示する。
【００２６】
特許文献１では、電話回線を介して伝送する画像データを蓄積する画像メモリと、該データに付与するファイル番号や画像データの管理情報を記憶登録するＲＡＭと、各種情報を表示出力する表示部と、オペレータが入力操作するデータ入力手段とを有し、ＣＰＵは、メモリ送信時に入力手段から入力された番号をファイル番号としてＲＡＭ内に登録し、このＣＰＵは、待機時に入力手段からファイル番号が入力されたとき、その番号に対応する画像データの管理情報をＲＡＭ内から呼び出して表示部に表示出力させ、蓄積する画像データのファイル毎にファイル番号を付与して画像データを管理する表示部の表示能力に拘らず、管理情報を容易に知ることができるファクシミリ装置が開示されている。
【特許文献１】特開２００４−２６０８５６号公報
【発明の開示】
【発明が解決しようとする課題】
【００２７】
上述した画情報通信速度を決定するための回線特性測定において、ＩＮＦＯｈ信号は６００ｂｐｓの２進ＤＰＳＫ（差動位相偏移）変調を用いて送出される。
【００２８】
回線劣化が激しい場合にはＩＮＦＯｈ信号が正しく受信できないことがある。そのような場合にそなえてＶ．３４勧告ではリカバリ手順が規定されており、ＩＮＦＯｈ信号が取れない場合には、再送が行われるようになっている。
【００２９】
しかしながら、一部のメーカにおいては、ＩＮＦＯｈ信号の中のフレーム同期ビットを勧告通りに送信しない場合があり、このとき、フレーム同期ビットの判定エラーとなるため、リカバリよるＩＮＦＯｈ信号の再送を行った場合においても、再度、フレーム同期ビットの判定エラーとなるため先に進めず通信断となる場合がある。
【００３０】
そこで本発明では、ＩＮＦＯｈ信号のフレーム同期ビットが勧告通りでないことによるフレーム同期ビット判定エラーにより起呼モデムからのリカバリが発生した場合には、第１のＩＮＦＯｈ信号のフレーム同期ビット判定手段を第２のフレーム同期ビット判定手段に変更する信号検出装置の提供を目的としている。
【課題を解決するための手段】
【００３１】
上記の目的を達成するため、本発明にかかる第１の信号検出装置は、ＩＴＵ−Ｔ勧告Ｖ．８およびＶ．３４に準じた通信手順を実行する通信手段と、ＩＮＦＯｈ信号の検知を行う信号検知手段とを有し、前記信号検知手段は、ＩＮＦＯｈ信号のフレーム同期ビットを判定する前記第１のフレーム同期ビット判定手段および前記第２のフレーム同期ビット判定手段とを有し、ＩＮＦＯｈ信号受信時に、前記信号検知手段が有する前記第１のフレーム同期ビット判定手段がフレーム同期ビット判定エラーと判断し、リカバリが発生した場合、次回のＩＮＦＯｈ信号のフレーム同期ビット判定は、第２のフレーム同期ビット判定手段で行い、ＩＮＦＯｈ信号受信時に、前記信号検知手段が有する第１のフレーム同期ビット判定手段がフレーム同期ビット判定ＯＫと判断した場合、前記ＩＮＦＯｈ信号の検知動作を継続することを特徴とする。
【００３２】
本発明にかかる第２の信号検出装置は、第１の検出信号装置において、前記信号検知手段に対して予め設定された前記リカバリの回数によって、前記第１のフレーム同期ビット判定手段と、前記第２のフレーム同期ビット判定手段との切替を可能にする切替手段を有することを特徴とする。
【００３３】
本発明にかかる第３の信号検出装置は、第１または第２の検出信号装置において、前記信号検知手段に対する外部入力により第２のフレーム同期ビット判定手段における判定ビット値の変更を可能にすることを特徴とする。
【発明の効果】
【００３４】
本発明によれば、ＩＮＦＯｈ信号のフレーム同期ビットが勧告通りでないことによるフレーム同期ビット判定エラーにより起呼モデムからのリカバリが発生した場合には、第１のＩＮＦＯｈ信号のフレーム同期ビット判定手段を第２のフレーム同期ビット判定手段に変更することで、フレーム同期ビット以降のＩＮＦＯｈ信号の受信を継続でき、リカバリから抜けられなくなって通信断にならないようにすることが可能な信号検出装置を提供できる。
【発明を実施するための最良の形態】
【００３５】
本発明にかかる信号検出装置について以下の好適もしくは最良と思われる実施の形態について説明する。
以下に記載する実施形態は、これに限定されることはなく、趣旨を逸脱しない範囲内において、当業者が容易に想到できる範囲内において、変形、修正可能とする。
以下に記載する実施の形態においては、第１のフレーム同期ビット判定手段を第１のフレーム同期ビット判定回路、第２のフレーム同期ビット判定手段を第２のフレーム同期ビット判定回路と記載する場合がある。
以下に記載する実施の形態においては、信号検出装置の一例として、ファクシミリ装置を適用する。
以下に記載する実施の形態においては、第１のフレーム同期ビット判定手段における判定ビットは勧告の値ではない値に設定されている。
ここで、本発明にかかるＩＮＦＯｈ信号のビット定義を表１に示す。
【表１】
2009135612.tif 000003
【００３６】
（第１の実施形態）
本発明にかかる信号検出装置の構成について図１を用いて説明する。
図１は、本発明にかかる信号検出装置の構成の一例を示す図である。
【００３７】
図１に示すファクシミリ装置は、装置全体の制御を行うメイン制御部４を備え、メイン制御部４に原稿を読み取る読取部５と、受信した画像データや読取部５によって読み取られた画像データを印刷、記録する記録部６と、ファクシミリ装置を操作する操作部７とが接続されている。
【００３８】
メイン制御部４は、たとえばＣＰＵで実現され、ＲＯＭ８に記憶された装置全体を制御するためのプログラムに従って、メイン制御部４に接続されたＮＣＵ部１、モデム部２、Ｇ３通信制御部３、読取部５、記録６、操作部７の動作を制御する。ＲＡＭ９には動作制御のための情報が一時的に記憶される。
【００３９】
ＮＣＵ(ネットワークコントロールユニット)部１は、回線との接続を制御するとともに相手通信装置の電話番号に対応したダイヤルパルスの送出、および、着信を検出する機能等を備えている。
【００４０】
モデム部２で偏重された送信データは、ＮＣＵ部１に入力され、またＮＣＵ部１で受信されたデータは、モデム部２に入力されて復調される。
【００４１】
モデム部２と、メイン制御部６との間にＧ３通信制御部３が配置される。
【００４２】
このＧ３通信制御部３について図２を用いて説明する。
図２は、本発明にかかるＧ３通信制御部３の構成の一例を示す図である。
【００４３】
Ｇ３通信制御部３は、ＮＣＵ部１およびモデム部２から入力されるＶ．８、Ｖ．３４手順の信号の受信、解析を行い、通信処理を行う。また、ＩＮＦＯｈ信号検出制御を行う。
【００４４】
図２に示すように、本発明にかかるＧ３通信制御部３は、一例として、ＮＣＵ部１と、モデム部２と、ＩＮＦＯｈ信号受信部１０と、ＩＮＦＯｈ信号検出制御部１１と、フレーム同期ビット判定部１２とを有する。
【００４５】
ＩＮＦＯｈ信号受信部１０は、ＮＣＵ部１およびモデム部２から入力されるＩＮＦＯｈ信号を受信する。
【００４６】
ＩＮＦＯｈ信号検出制御部１１は、ＩＮＦＯｈ信号の検出を制御する。
【００４７】
フレーム同期ビット判定部１２は、ＩＮＦＯｈ信号検出制御部での検出動作に基づきフレーム同期ビットの判定を行う。
【００４８】
フレーム同期ビット判定部１２は、第１のフレーム同期ビット判定回路（第１のフレーム同期ビット判定手段）と、第２のフレーム同期ビット判定回路（第２のフレーム同期ビット判定手段）と判定回路切替スイッチ（切替手段）を有している（図示せず）。
【００４９】
図３は、Ｖ．３４勧告におけるフェーズ２の通信動作を示す図である。
図４は、本発明の一実施例を示すＩＮＦＯｈ信号検出の動作フローチャートである。
【００５０】
フェーズ２において、発呼側端末では着呼側端末から送信されたＩＮＦＯｈ信号を受信を開始する（ステップＳ１０１）。
【００５１】
このＩＮＦＯｈ信号を受信処理では、ＩＮＦＯｈ信号検出制御部１１によりＩＮＦＯｈ信号有無のチェックを行う。
【００５２】
具体的には、ＩＮＦＯｈ信号の受信を検出し、フレーム同期ビット判定部１２内の第１のフレーム同期ビット判定回路においてフレーム同期ビットの判定を行う。
【００５３】
ＩＮＦＯｈ信号の受信を検出していなく、フレーム同期ビットが検出された場合には、引き続き、ＩＮＦＯｈ信号の受信を行う。
【００５４】
フレーム同期ビットが検出されない場合は、リカバリによる再送を行う（ステップＳ１０２）。
【００５５】
ステップＳ１０２の処理で、リカバリの再送を行うと判断された場合（ステップＳ１０２／ＹＥＳ）、フレーム同期ビット判定部１２内の第２フレーム同期ビット判定回路においてフレーム同期ビットの判定を行い判断する（ステップＳ１０３）。
【００５６】
フレーム同期ビットの値がフレーム同期ビット判定部１２内の第２フレーム同期ビット判定回路のフレーム同期ビットの判定値と同じであれば、フレーム同期ビット検出と判定され（ステップＳ１０３／ＹＥＳ）、引き続き、ＩＮＦＯｈ信号の受信を行うべき、ＣＲＣの確認が行われた否かの処理を行う（ステップＳ１０６）。
【００５７】
フレーム同期ビットの値がフレーム同期ビット判定部１２内の第２フレーム同期ビット判定回路のフレーム同期ビットの判定値と同じない場合、フレーム同期ビット検出と判定されず（ステップＳ１０３／ＮＯ）、ＩＮＦＯｈ信号受信ＮＧと判断される（ステップＳ１０５）。
【００５８】
ステップＳ１０２の処理で、リカバリの再送を行わないと判断された場合（ステップＳ１０２／ＮＯ）、フレーム同期ビット判定部１２内の第１フレーム同期ビット判定回路においてフレーム同期ビットの判定を行い判断する（ステップＳ１０４）。
【００５９】
フレーム同期ビットの値がフレーム同期ビット判定部１２内の第１フレーム同期ビット判定回路のフレーム同期ビットの判定値と同じであれば、フレーム同期ビット検出と判定され（ステップＳ１０４／ＹＥＳ）、引き続き、ＩＮＦＯｈ信号の受信を行うべき、ＣＲＣの確認が行われた否かの処理を行う（ステップＳ１０６）。
【００６０】
フレーム同期ビットの値がフレーム同期ビット判定部１２内の第１フレーム同期ビット判定回路のフレーム同期ビットの判定値と同じない場合、フレーム同期ビット検出と判定されず（ステップＳ１０４／ＮＯ）、ＩＮＦＯｈ信号受信ＮＧと判断される（ステップＳ１０５）。
【００６１】
ステップ１０３の処理およびステップ１０４の処理で、フレーム同期ビットが検出された場合には、ＣＲＣの確認を行う（ステップＳ１０６）。
【００６２】
ステップ１０３の処理およびステップ１０４の処理で、フレーム同期ビットが検出されなかった場合、ステップＳ１０６の処理でＣＲＣの確認がされなかった場合（ステップＳ１０６／ＮＯ）、ＩＮＦＯｈ信号受信ＮＧと判断される（ステップＳ１０５）。
【００６３】
ステップＳ１０５の処理で、ＩＮＦＯｈ信号受信ＮＧと判断された後、ステップＳ１０１の処理に戻る。
【００６４】
ステップ１０６の処理で、ＣＲＣの確認がとれた場合（ステップＳ１０６／ＹＥＳ）、ＩＮＦＯｈ信号受信ＯＫと判断される（ステップＳ１０７）。
【００６５】
発呼側端末は、ＩＮＦＯｈ信号を受信すると、着呼側端末から、回線状態を解析し選択したシンボルレート、キャリア周波数、プリエンファシス係数等の情報を取得後フェーズ３へと遷移し、通信が行われる。
【００６６】
本実施形態によれば、ＩＮＦＯｈ信号検出制御部１１内に第１のフレーム同期ビット判定回路および第２のフレーム同期ビット判定回路を備え、第１のフレーム同期ビット判定回路において、勧告通りのフレーム同期ビットが検出できずにフレーム同期ビット判定エラーとなり、リカバリが発生した場合でも、第２のフレーム同期判定回路において、フレーム同期ビットの判定がＯＫになれば、フレーム同期ビット以降のＩＮＦＯｈ信号の受信を継続できるので、相手機が勧告に違反したＩＮＦＯｈシーケンスを送信してきた場合でも、Ｖ．３４通信が通信断にならないようにすることが可能になる。
【００６７】
（第２の実施形態）
本実施形態では、第１の実施形態と同様に、Ｇ３通信制御部３は、ＮＣＵ部１およびモデム部２から入力されるＶ．８、Ｖ．３４手順の信号の受信、解析を行い、通信処理を行う。また、ＩＮＦＯｈ信号検出制御を行う。
【００６８】
フレーム同期ビットは、回線上のノイズ等により正しい値を送信しない場合もあり、この場合も起呼モデムからのリカバリが発生する。
リカバリによるＩＮＦＯｈ信号の再送を行った場合、フレーム同期ビットが勧告通りの値を送信したら、第２のフレーム同期ビット判定手段によって再度、フレーム同期ビットの判定エラーとなるため先に進めずこのままでは通信断となる。
【００６９】
そこで、本実施形態では、リカバリ回数による第１、第２のフレーム判定ビットの切替変更を外部から設定できるようにすることにより、例えば、リカバリによるＩＮＦＯｈ信号の再送を行った場合、１回目のリカバリの場合は、第１のフレーム判定ビット判定手段で判定できるようにすることで、フレーム同期ビット以降のＩＮＦＯｈ信号の受信を継続できるようにして、リカバリから抜けられなくなって通信断にならないようにすることを目的としている。
【００７０】
本実施形態では、ＩＮＦＯｈ信号検出を行う前にメイン制御部４によりフレーム同期ビット判定部１２内の判定回路切替スイッチを所望のリカバリ回数に設定しておく。
【００７１】
第１の実施形態と同様に、フェーズ２において、発呼側端末では着呼側端末から送信されたＩＮＦＯｈ信号を受信すると、ＩＮＦＯｈ信号検出制御部１１によりＩＮＦＯｈ信号有無をチェックし、ＩＮＦＯｈ信号を受信している場合には、フレーム同期ビット判定部１２内の第１のフレーム同期ビット判定回路において、フレーム同期ビットの判定を行い、フレーム同期ビットが検出された場合には、引き続き、ＩＮＦＯｈ信号の受信を行う。
【００７２】
フレーム同期ビットが検出されない場合はリカバリによる再送を行うが、リカバリの回数がフレーム同期ビット判定部１２内の判定回路切替スイッチに設定されたリカバリ回数内であれば、再度、第１のフレーム同期ビット判定回路でフレーム同期ビットの判定を行い、フレーム同期ビットが検出された場合には、引き続き、ＩＮＦＯｈ信号の受信を行う。
【００７３】
リカバリによる再送において、第１のフレーム同期ビット判定回路でフレーム同期ビットが検出されずにリカバリによる再送を繰り返し、リカバリ回数がフレーム同期ビット判定部１２内の判定回路切替スイッチに設定されたリカバリ回数より多くなった場合は、第２のフレーム同期ビット判定回路でフレーム同期ビットの判定を行う。
【００７４】
発呼側端末は、ＩＮＦＯｈ信号を受信すると、着呼側端末から、回線状態を解析し選択したシンボルレート、キャリア周波数、プリエンファシス係数等の情報を取得後フェーズ３へと遷移し、通信が行われる。
【００７５】
本実施形態によれば、リカバリ回数によるＩＮＦＯｈ信号検知装置内の第１、第２のフレーム判定ビットの切替変更を外部から設定できるようにし、ノイズ等による一時的なフレーム同期ビットエラーが起きた場合でも、第１、第２のフレーム判定ビットを設定できるようにすることで、リカバリから抜けられなくなってＶ．３４通信が通信断にならないようにすることが可能になる。
【００７６】
（第３の実施形態）
本実施形態では、第１の実施形態と同様に、Ｇ３通信制御部３は、ＮＣＵ部１およびモデム部２から入力されるＶ．８、Ｖ．３４手順の信号の受信、解析を行い、通信処理を行う。また、ＩＮＦＯｈ信号検出制御を行う。
【００７７】
一部のメーカにおいては、ＩＮＦＯｈ信号の中のフレーム同期ビットを勧告通りに送信しない場合があるが、第２のフレーム同期ビット判定手段で設定されている判定ビットとは違うフレーム同期ビットを送る場合も考えられ、この場合、第２のフレーム同期ビット判定手段によって再度、フレーム同期ビットの判定エラーとなるため先に進めずこのままでは通信断となる。
【００７８】
本実施形態では、第２のフレーム同期ビット判定手段における判定ビットの変更を外部から設定できるようにすることにより、相手機や回線状況によって勧告と異なるフレーム同期ビットであった場合でも判定ビットを設定することで、フレーム同期ビット以降のＩＮＦＯｈ信号の受信を継続できるようにして、リカバリから抜けられなくなって通信断にならないようにすることを目的としている。
【００７９】
本実施形態では、ＩＮＦＯｈ信号検出を行う前にメイン制御部４によりフレーム同期ビット判定部１２内の第２のフレーム同期ビット判定回路を所望のフレーム同期ビットの判定値に設定しておく。
【００８０】
第１の実施形態と同様に、フェーズ２において、発呼側端末では着呼側端末から送信されたＩＮＦＯｈ信号を受信すると、ＩＮＦＯｈ信号検出制御部１１によりＩＮＦＯｈ信号有無をチェックし、ＩＮＦＯｈ信号を受信している場合には、フレーム同期ビット判定部１２内の第１のフレーム同期ビット判定回路において、フレーム同期ビットの判定を行い、フレーム同期ビットが検出された場合には、引き続き、ＩＮＦＯｈ信号の受信を行う。
【００８１】
フレーム同期ビットが検出されない場合はリカバリによる再送を行い、フレーム同期ビット判定部２でフレーム同期ビットの判定を行う。
【００８２】
このとき、フレーム同期ビットの値がフレーム同期ビット判定部１２内の第２のフレーム同期ビット判定回路の所望のフレーム同期ビットの判定値と同じであれは、フレーム同期ビット検出と判定される。
【００８３】
発呼側端末は、ＩＮＦＯｈ信号を受信すると、着呼側端末から、回線状態を解析し選択したシンボルレート、キャリア周波数、プリエンファシス係数等の情報を取得後フェーズ３へと遷移し、通信が行われる。
【００８４】
本実施形態によれば、リカバリ回数によるＩＮＦＯｈ信号検知装置内の第２のフレーム判定ビットの判定ビットを外部から設定できるようにしているので、相手機や回線状況によって勧告とフレーム同期ビットが異なってもフレーム判定ビットを設定できるようにすることで、リカバリから抜けられなくなってＶ．３４通信が通信断にならないようにすることが可能になる。
【図面の簡単な説明】
【００８５】
【図１】本発明にかかる信号検出装置の構成の一例を示す図である。
【図２】本発明にかかるＧ３通信制御部の構成の一例を示す図である。
【図３】本発明にかかるＶ．３４勧告におけるフェーズ２を説明するための図である。
【図４】本発明にかかる信号検出装置の処理を示すフローチャート図である。
【図５】従来技術にかかる信号検出装置の処理を示すフローチャート図である。
【符号の説明】
【００８６】
１    ＮＣＵ部
２    モデム部
３    Ｇ３通信制御部
４    メイン制御部
５    読取部
６    記録部
７    操作部
８    ＲＯＭ
９    ＲＡＭ
１０    ＩＮＦＯｈ信号受信部
１１    ＩＮＦＯｈ信号検出制御部
１２    フレーム同期ビット判定部
【図１】
2009135612.tif 000004
【図２】
2009135612.tif 000005
【図３】
2009135612.tif 000006
【図４】
2009135612.tif 000007
【図５】
2009135612.tif 000008